【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
露出したバリーキー（１４）と、前記バリーキーより高い、露出したヒルキー（１２）との両方を画定するキーパッドであって、
前記ヒルキー（１２）が、前記バリーキーの名目上の有効キー幅（Ｖ）にほぼ等しい名目上の有効キー幅（Ｈ）を有しているキーパッド。
【請求項２】
前記ヒルキー（１２）の少なくとも多くが、前記ヒルキー（１２）の隣接する対と接続領域（３７）とで細長い二重キー（１６）を形成するように、対応するヒルキー（１２）とそれぞれ関連する、請求項１に記載のキーパッド。
【請求項３】
露出したバリーキー（１４）と、前記バリーキーより高い、露出したヒルキー（１２）との両方を画定するキーパッドであって、
前記ヒルキー（１２）の少なくとも多くが、対応するヒルキー（１２）とそれぞれ機能的に関連し、前記ヒルキー（１２）の隣接する対と前記キーパッドの接続領域（３７）とで細長い二重キー（１６）を形成するキーパッド。
【請求項４】
前記接続領域（３７）が、局所的に高いブリッジの形状である、請求項２または請求項３に記載のキーパッド。
【請求項５】
前記キーパッドを平面視したときに、前記ブリッジが狭まって、前記隣接するヒルキー（１２）間にウエスト（３８）を形成する、請求項４に記載のキーパッド。
【請求項６】
前記ブリッジがその中間点に向けて下に傾斜し、前記隣接するヒルキー（１２）間にサドル（３６）を形成する、請求項４または請求項５に記載のキーパッド。
【請求項７】
前記二重キー（１６）の少なくとも多くが、異なる識別ラベルを備えた左側部（３２）および右側部（３４）を有する、請求項２〜６のいずれか一項に記載のキーパッド。
【請求項８】
前記二重キー（１６）が、回路基板（３０）の電気トレース（２８）を重ね合わせ、かつ通常は前記電気トレース（２８）から離間された導電アクチュエータ（４０）と関連して、それらの関連するヒルキー（１２）が押下されたときに、前記トレースと電気接触する、請求項２〜７のいずれか一項に記載のキーパッド。
【請求項９】
各二重キー（１６）が、ただ１つの細長いアクチュエータ（４０）と関連している、請求項８に記載のキーパッド。
【請求項１０】
前記細長いアクチュエータ（４０）が、その長さに沿って湾曲している下側表面を有している、請求項９に記載のキーパッド。
【請求項１１】
各二重キー（１６）が、ただ１つの細長い触覚フィードバック要素（４８）と関連している、請求項８〜１０のいずれか一項に記載のキーパッド。
【請求項１２】
少なくとも多くの二重キー（１６）が、一対のアクチュエータ（４０）とそれぞれ関連し、前記一対のアクチュエータのそれぞれが、前記二重キー（１６）における前記一対のヒルキー（１２）の１つの下にある、請求項８に記載のキーパッド。
【請求項１３】
前記一対のアクチュエータにおける前記アクチュエータ（４０）の両方が、前記回路基板（３０）における単一の電気トレース（２８）と係合するように配列されている、請求項１２に記載のキーパッド。
【請求項１４】
前記一対のアクチュエータにおける前記アクチュエータ（４０）のそれぞれが、前記回路基板（３０）の異なる電気トレース（２８）と係合するように配列されている、請求項１２に記載のキーパッド。
【請求項１５】
少なくとも多くの二重キー（１６）が、一対の触覚フィードバック要素（４８）とそれぞれ関連し、前記一対のフィードバック要素のそれぞれが、前記二重キー（１６）における前記一対のヒルキー（１２）の１つの下にある、請求項１２〜１４のいずれか一項に記載のキーパッド。
【請求項１６】
前記バリーキー（１４）が縦列に配列され、縦列が二重キー（１６）を交互に含む、請求項２〜１５のいずれか一項に記載のキーパッド。
【請求項１７】
各二重キー（１６）が、下にある回路基板（３０）に対して、ユニットとして変位可能な剛性キー構造（８０）として構成されている、請求項２〜１６のいずれか一項に記載のキーパッド。
【請求項１８】
各二重キー（１６）の前記剛性キー構造（８０）がまた、少なくとも１つの隣接するバリーキー（１４）にかかっている、請求項１７に記載のキーパッド。
【請求項１９】
前記二重キー（１６）の少なくともいくつかを形成する前記剛性キー構造（８０）がまた、前記二重キー（１６）の両側に１つある、２つの隣接するバリーキー（１４）にかかっている、請求項１８に記載のキーパッド。
【請求項２０】
前記二重キー（１６）が、バリーキー（１４）の横列によって分離された交互の横列に配置されている、請求項１７に記載のキーパッド。
【請求項２１】
バリーキー（１４）の隣接する対が構造的に連結され、下にある回路基板（３０）に向けて前記一対のバリーキーの前記バリーキー（１４）の内の１つを変位させることにより、前記一対のバリーキーの前記バリーキー（１４）の内のもう１つを、前記回路基板から離れる向きに変位させる、請求項２〜２０のいずれか一項に記載のキーパッド。
【請求項２２】
バリーキー（１４）の各対が、前記一対のバリーキーにかかりかつ前記かけられたバリーキー（１４）間で回転軸（８６）を中心に回転可能なレバー（８４）を含む、請求項２１に記載のキーパッド。
【請求項２３】
前記レバー（８４）が、前記回転軸（８６）で前記回路基板（３０）と接触する、請求項２２に記載のキーパッド。
【請求項２４】
前記回転軸（８６）が、スナップドーム（５０）と接触する、請求項２２に記載のキーパッド。
【請求項２５】
回転軸（８６）の下のスナップドーム（５０）が、ヒルキー（１２）に関連するスナップドーム（５０）よりも大きいフィードバック力を提供するように構成されている、請求項２４に記載のキーパッド。
【請求項２６】
異なる二重キー（１６）の２つのヒルキー（１２）にそれぞれかかっている回転可能部材（８４）と、バリーキー（１４）と、をさらに含み、前記かけられたヒルキー（１２）の１つを下にある回路基板（３０）に向けて変位させることにより、前記かけられたヒルキー（１２）のもう１つを前記回路基板から離れる向きに変位させる、請求項２〜１６のいずれか一項に記載のキーパッド。
【請求項２７】
前記バリーキー（１４）の露出面が凸状である、上記請求項のいずれか一項に記載のキーパッド。
【請求項２８】
前記バリーキー（１４）が、前記ヒルキー（１２）に対しては窪んでいる、局所的に高い領域を含む、請求項１〜２７のいずれか一項に記載のキーパッド。
【請求項２９】
隣接するバリーキー（１４）の中心が、約６ミリメートル未満の距離だけ離間されている、上記請求項のいずれか一項に記載のキーパッド。
【請求項３０】
隣接するバリーキー（１４）の中心が、約５．４ミリメートルの距離だけ離間されている、上記請求項のいずれか一項に記載のキーパッド。
【請求項３１】
少なくとも多くのヒルキー（１２）が、少なくとも６つのバリーキー（１４）とそれぞれ関連している、上記請求項のいずれか一項に記載のキーパッド。
【請求項３２】
左から右へＱ−Ｗ−Ｅ−Ｒ−Ｔ−Ｙと読めるように配列されたキーラベルの横列を備えた、上記請求項のいずれか一項に記載のキーパッド。
【請求項３３】
前記ヒルキー（１２）が、個別に押されたときに、対応する出力を提供し、前記バリーキー（１４）が、前記バリーキー（１４）に隣接する２つ以上のヒルキー（１２）の所定のセットを同時またはほぼ同時に操作した結果により少なくとも生じる出力に対応するラベルを付けられる、上記請求項のいずれか一項に記載のキーパッド。
【請求項３４】
前記ヒルキー（１２）のみが、作動されたときに電気応答を提供し、バリーキーのラベルに対応する前記出力が、隣接するヒルキー（１２）の作動からの電気応答の組み合わせからのみ引き出される、上記請求項のいずれか一項に記載のキーパッド。
【請求項３５】
前記バリーキー（１４）が、隣接するヒルキー（１２）とアルゴリズム的に関連する、上記請求項のいずれか一項に記載のキーパッド。
【請求項３６】
キー出力が、個別スイッチ作動および隣接するスイッチの組み合わされた作動の両方から決定される、請求項３５に記載のキーパッド。
【請求項３７】
前記ヒルキー（１２）が、個別に押されたときに、対応する出力をそれぞれ提供し、前記バリーキー（１４）が、前記バリーキー（１４）に隣接するいずれか１つのヒルキー（１２）における任意の同時またはほぼ同時の操作に優先する出力をそれぞれ提供する、上記請求項のいずれか一項に記載のキーパッドを有する電子装置。